(57)【要約】      （修正有）【課題】構造簡単にして取り付け容易で、衝撃によっても狂うことなく隙間閉塞効果を維持することができる引戸の隙間閉塞装置を提供する。【解決手段】フィラー等の閉塞部材６の支持部材６−１を、縦框または柱材等の方立Ａの長手方向に沿って形成した収容部に突出方向に対して進退自在に収容し、閉塞部材６の突出量を調整する調整機構を支持部材６−１に連結して設けた引戸の隙間閉塞装置において、ケーシング内に枢支されて回転する操作ギヤ２とこのギヤ２に噛合して回転する作動ギヤ３の中心部に形成された螺子孔３−１に螺合する摺動ネジ４をフィラー等の閉塞部材６の支持部材６−１に連結した。【選択図】図４
2014227816.tif 000002
【特許請求の範囲】
【請求項１】
フィラー等の閉塞部材の支持部材を、縦框または柱材等の方立Ａの長手方向に沿って形成した収容部に突出方向に対して進退自在に収容し、前記閉塞部材の突出量を調整する調整機構を当該支持部材に連結して設けた引戸Ｂの隙間閉塞装置において、ケーシング内に枢支されて回転する操作ギヤとこのギヤに噛合して回転する作動ギヤの中心部に形成された螺子孔に螺合する摺動ネジを前記フィラー等の閉塞部材の支持部材に連結したことを特徴とする引戸の隙間閉塞装置。
【発明の詳細な説明】
【技術分野】
【０００１】  本発明は、方立と引戸間の隙間から光漏れ等を防止する効果即ち遮蔽効果を奏し得る引戸の隙間閉塞装置に関するものである。
【背景技術】
【０００２】
【特許文献１】  特開２０１１−１３２６８７号公報
【特許文献２】  特許第４４８７４０８号公報
【発明の開示】
【発明が解決しようとする課題】
【０００３】  一般に、建物の窓などに設けられる引戸枠には、引戸枠の開口部と壁部との仕切り部分に、いわゆる引戸の中方立構造が上下方向に配設されているが、このような中方立構造として、特開２０１１−１３２６８７号公報や特許第４４８７４０８号公報等に記載されているが、引戸に対向する側に開口する収納溝が上下方向に沿って形成された中方立部材と、この中方立部材の収納溝に出没可能に収納される引戸の隙間閉塞装置とを備えたものが種々開発されている。【０００４】  従来の引戸の隙間閉塞装置として、フィラーやモヘア等の隙間閉塞部材をカム機構や、ラックーピニオン機構を使用して回転運動を直線運動に変換して左右方向に移動させることによって中方立部材と引戸の間の隙間を閉塞するようにしたものがある。【０００５】  特開２０１１−１３２６８７公報に記載される引戸の隙間閉塞装置は、閉塞部材の突出量を調整する調整機構を支持部材に連結して設け、作動部を第１カム部材と、第２カム部材との組合せにより構成して、第１カム部材を回動させることにより第２カム部材を直線運動させて、第２カム部材に連結した支持部材を突出方向へ進退自在に構成していることを特徴とするものであった。【０００６】  然しながら、この引戸の隙間閉塞装置にあっては、部品点数が多くて、構造が複雑であるだけでなく、中方立部材への取り付け作業が困難であり、引戸の開閉の都度の衝撃でカム部材が不測に回転して閉塞部材の突出量が変化して隙間閉塞効果が低下するという問題点があった。
【発明の目的】
【０００７】  本発明の目的は、構造簡単にして取り付け容易で、衝撃によっても狂うことなく隙間閉塞効果を維持することができる引戸の隙間閉塞装置を提供することにある。
【課題を解決するための手段】
【０００８】  本発明に係る引戸の隙間閉塞装置は、フィラー等の閉塞部材の支持部材を、縦框または柱材等の方立Ａの長手方向に沿って形成した収容部に突出方向に対して進退自在に収容し、前記閉塞部材の突出量を調整する調整機構を当該支持部材に連結して設けた引戸Ｂの隙間閉塞装置において、ケーシング内に枢支されて回転する操作ギヤとこのギヤに噛合して回転する作動ギヤの中心部に形成された螺子孔に螺合する摺動ネジを前記フィラー等の閉塞部材の支持部材に連結したことを特徴とするものである。
【発明の作用】
【０００９】  本発明に係る引戸の隙間閉塞装置は、操作ギヤを前後方向に回転することによりこの操作ギヤに噛合する作動ギヤの回転により閉塞部材の支持部材に連結される摺動ネジが左右移動して中方立部材と引戸の間の隙間を閉塞する。
【実施例】
【００１０】  図１は、本発明の引戸の隙間閉塞装置を構成する閉塞操作具の斜視図、図２は、図１の縦断側面図、図３は、同装置の方立へ取り付け状態を表す斜視図、図４は、閉塞操作具への摺動ネジの装着方法を示す拡大断面図、図５は同摺動ネジの装着状態を表す拡大断面図、図６は、同装置の方立への取り付け状態の斜視ず、図７は、方立と壁、引戸の関係を表す概略斜視図である。【００１１】  図１、２において、１は、本発明の引戸の隙間閉塞装置を構成する閉塞操作具であって、ケーシング１−１内に操作ギヤ２が軸２−１にて枢支されており、図３のようにこのギヤに噛合する作動ギヤ３の中央の螺子孔３−１にネジ４が螺合されるようになっている。【００１２】  作動ギヤ３の中央の螺子孔３−１は図４、５のようにネジ４が螺合され易いようにすり鉢状形状即ち皿孔になっており、ネジ４の先端も円錐台形状にしてあるため、ネジ４を皿孔部分に当てて操作ギヤ２を回転させることによる作動ギヤ３の回転だけで速やかにネジ４が図５のように螺合されるようになっている。【００１３】  ５は、ネジ４と一体的に形成された連結部材で、フィラー等の閉塞部材６の長尺の支持部材６−１に嵌めこみ係止されている。【００１４】  本発明引戸の取付方法並びに作動状態を説明すれば、先ず、方立Ａに形成された孔に閉塞操作具１を嵌めこみ、支持部材６−１に連結されたネジ４の先端を図４の矢印方向に差し込み、操作ギヤ２を回転させると作動ギヤ３が回転してネジ４は図５のように螺孔３−１にねじ込まれた状態となるので、操作ギヤ２の回転数を調節して最適な閉塞部材６の突出量を選択すればよいものである。【００１５】  上述のようにネジ４を螺合するだけで閉塞操作具１を方立Ａに簡単に取り付けることができる。
【発明の効果】
【００１６】  本発明に係る引戸の隙間閉塞装置によれば、操作ギヤを前後方向に回転することによりこの操作ギヤに噛合する作動ギヤの回転により閉塞部材の支持部材に連結される摺動ネジが左右移動して中方立部材と引戸の間の隙間を閉塞するようにしたものであるから、部品点数は従来品に比べて少なく、また、構造は極めて簡単でありながら中方立部材への取り付け作業が容易であり、引戸の開閉の際に極めて大きな衝撃が加わっても従来装置のように操作部材が不測に回転して閉塞部材の突出量が変化して隙間閉塞効果が低下するというようなことがないものである。
【図面の簡単な説明】
【００１７】
【図１】  本発明の引戸の隙間閉塞装置を構成する閉塞操作具の斜視図である。
【図２】  図１の縦断側面図である。
【図３】  装置の方立へ取り付け状態を表す斜視図である。
【図４】  閉塞操作具への摺動ネジの装着方法を示す拡大断面図である。
【図５】  同摺動ネジの装着状態を表す拡大断面図である。
【図６】  同装置の方立への取り付け状態の斜視図である。
【図７】  方立と壁、引戸の関係を表す概略斜視図である。
【符号の説明】
【００１８】  １          閉塞操作具
２          操作ギヤ
３          作動ギヤ
４          ネジ
５          連結部材
６          閉塞部材
【図１】
2014227816.tif 000003
【図２】
2014227816.tif 000004
【図３】
2014227816.tif 000005
【図４】
2014227816.tif 000006
【図５】
2014227816.tif 000007
【図６】
2014227816.tif 000008
【図７】
2014227816.tif 000009
【手続補正書】
【提出日】平成26年7月25日(2014.7.25)
【手続補正１】
【補正対象書類名】特許請求の範囲
【補正対象項目名】請求項１
【補正方法】変更
【補正の内容】
【請求項１】
フィラー等の閉塞部材の支持部材を、縦框または柱材等の方立Ａの長手方向に沿って形成した収容部に突出方向に対して進退自在に収容し、前記閉塞部材の突出量を調整する調整機構を当該支持部材に連結して設けた引戸Ｂの隙間閉塞装置において、ケーシング内に枢支されて回転する操作ギヤとこのギヤに噛合して回転する作動ギヤの中心部に形成された螺子孔に螺合する摺動ネジを前記フィラー等の閉塞部材の支持部材に連結し、操作ギヤを前後方向に回転することによりこの操作ギヤに噛合する作動ギヤの回転により閉塞部材の支持部材に連結される摺動ネジが左右移動して中方立部材と引戸の間の隙間を閉塞することを特徴とする引戸の隙間閉塞装置。